(57)【特許請求の範囲】
【請求項１】
一方に、既に建設された隣接住宅模型Ｋを固定して配置し、他方の、これから建設予定の敷地空間部分に、建設予定住宅模型Ａを配置し、該建設予定住宅模型Ａは、隣接住宅模型Ｋに対して近づく方向と離れる方向に移動可能とし、
該住宅模型に重複した前面にプリズム投影画面Ｐを配置し、該プリズム投影画面Ｐは、映像を投影しない場合には透明ガラスであり、このプリズム投影画面Ｐが間に介在していても、後部の模型は支障無く見ることが出来、
隠された位置の投影装置からビデオ映像を投影すると、該透明なプリズム投影画面Ｐに、バックや後背の存在しない実写による人物の姿のみが映写される構成としたことを特徴とする隣接住宅との距離体験装置。
【請求項２】
請求項１記載の隣接住宅との距離体験装置において、隣接住宅模型Ｋに重複したプリズム投影画面Ｐ１を配置し、該別の住宅の内部で生活している家族Ｆの生活動作を、実写でビデオカメラにより映写し、該ビデオ映像を、該プリズム投影画面Ｐ１に投影すべく構成したことを特徴とする隣接住宅との距離体験装置。
【請求項３】
請求項１記載の隣接住宅との距離体験装置において、左右に移動する建設予定住宅模型Ａに重複してプリズム投影画面Ｐ２を配置し、プリズム投影画面Ｐ２を建設予定住宅模型Ａと共に左右に移動すべく構成し、別の場所にいる住宅建築予定者Ｙを実写でビデオカメラにより映写し、該ビデオ映像をプリズム投影画面Ｐ２に投影すべく構成したことを特徴とする隣接住宅との距離体験装置。
【請求項４】
請求項１記載の隣接住宅との距離体験装置において、隣接住宅模型Ｋと建設予定住宅模型Ａにより構成された模型空間の外の空間に、実写空間を配置し、該実写空間に立った人間をカメラにより映写して、該映像を、隣接住宅模型Ｋと建設予定住宅模型Ａの間、又は建設予定住宅模型Ａの内部に重複させたプリズム投影画面Ｐに、投影映像として映写させたことを特徴とする隣接住宅との距離体験装置。
【請求項５】
請求項１記載の隣接住宅との距離体験装置において、建設予定住宅模型Ａ又は隣接住宅模型Ｋを、２階建て住宅の模型とし、スイッチの操作により、２階建て住宅の模型を３階建て住宅の模型に変更可能としたことを特徴とする隣接住宅との距離体験装置。
【発明の詳細な説明】
【０００１】
【発明の属する技術分野】
本発明は、住宅を建設する場合において、重要なポイントとなる隣接住宅との間の関係位置を、住宅建築予定者に対して明確にし、隣接住宅にも好都合で、これから建設する住宅建築予定者にとっても、最高の住宅を建設する為の、隣接住宅との関係をリアルに構成した模型により体験可能とした装置を提供するものである。
【０００２】
【従来の技術】
従来も、住宅を建てる場合において、隣接住宅との間の距離と日照権と風通しの関係は重要な設計要素の一つであり、また住宅関係の法律や規制との関係からも、新たに建設する住宅は規制を受けるので、これらの条件に合致した設計とする必要があることを、住宅建築予定者に知らせる努力はしていたのである。
しかし、単に平面的な敷地の図面や、平面的な住宅設計図面において、説明しても、立体的な関係である隣家の屋根や塀や木立との関係を、住宅建築予定者に理解させることは困難なのである。
従来は、これらの点の説明が充分では無い為に、出来上がった住宅に入ってみて、隣から住宅内が覗かれるとか、こちらの住宅から隣の居間の内部が覗けるとか、隣家のトイレの水音が聞こえるとか、風通しが悪いとか、また隣家の日射時間が減ったと苦情を持ち込まれる等の不具合があったのである。
【０００３】
【発明が解決しようとする課題】
本発明は、従来のこのような不具合を、出来るだけ住宅建築予定者に対して具体的な装置により表現して、住宅建築予定者が出来るだけ、身近に隣接住宅との距離の問題を理解して貰って、最適な構造であって、隣家に悪影響の出ない設計図面とする為の資料と情報を提供せんとするものである。
また従来の如く、単に図面上から隣家との関係を説明したり、家の模型同士を左右に並べて配置して、これを動かして、隣家との関係を表現したりするだけでは、親近感が沸かず、自分の問題として身近に感ずることが出来ないので、この点を改善する為に、該隣接住宅模型や建設予定住宅模型の内部で、実物の人間の映像をプリズム映像で重複映写して表現し、隣接住宅模型や建設予定住宅模型の内部で、実際に動く人間の映像が見られるように構成したものである。
これにより、実際の人間が部屋で生活している状態を、隣家の住人が覗くという状況を、身近に体験することが出来るのである。
また、住宅建築予定者自身の映像を、実写空間に立った住宅建築予定者をビデオカメラにより映写して、この映写をプリズム映像により、隣接住宅との距離体験装置の内部に投影映写することにより、自分がこの隣接住宅との距離体験装置の内部に入り込んだバーチャル状況を体験することができるので、より身近に隣家との問題を感ずることが出来るように構成しているのである。
【０００４】
【課題を解決するための手段】
本発明の解決しようとする課題は以上の如くであり、次に該課題を解決するための手段を説明する。
請求項１においては、一方に、既に建設された隣接住宅模型Ｋを固定して配置し、他方の、これから建設予定の敷地空間部分に、建設予定住宅模型Ａを配置し、該建設予定住宅模型Ａは、隣接住宅模型Ｋに対して近づく方向と離れる方向に移動可能とし、該住宅模型に重複した前面にプリズム投影画面Ｐを配置し、該プリズム投影画面Ｐは、映像を投影しない場合には透明ガラスであり、このプリズム投影画面Ｐが間に介在していても、後部の模型は支障無く見ることが出来、隠された位置の投影装置からビデオ映像を投影すると、該透明なプリズム投影画面Ｐに、バックや後背の存在しない実写による人物の姿のみが映写される構成としたものである。
【０００５】
請求項２においては、請求項１記載の隣接住宅との距離体験装置において、隣接住宅模型Ｋに重複したプリズム投影画面Ｐ１を配置し、該別の住宅の内部で生活している家族Ｆの生活動作を、実写でビデオカメラにより映写し、該ビデオ映像を、該プリズム投影画面Ｐ１に投影すべく構成したものである。
【０００６】
請求項３においては、請求項１記載の隣接住宅との距離体験装置において、左右に移動する建設予定住宅模型Ａに重複してプリズム投影画面Ｐ２を配置し、プリズム投影画面Ｐ２を建設予定住宅模型Ａと共に左右に移動すべく構成し、別の場所にいる住宅建築予定者Ｙを実写でビデオカメラにより映写し、該ビデオ映像をプリズム投影画面Ｐ２に投影すべく構成したものである。
【０００７】
請求項４においては、請求項１記載の隣接住宅との距離体験装置において、隣接住宅模型Ｋと建設予定住宅模型Ａにより構成された模型空間の外の空間に、実写空間を配置し、該実写空間に立った人間をカメラにより映写して、該映像を、隣接住宅模型Ｋと建設予定住宅模型Ａの間、又は建設予定住宅模型Ａの内部に重複させてプリズム投影画面Ｐに、投影映像として映写させたものである。
【０００８】
請求項５においては、請求項１記載の隣接住宅との距離体験装置において、建設予定住宅模型Ａ又は隣接住宅模型Ｋを、２階建て住宅の模型とし、スイッチの操作により、２階建て住宅の模型を３階建て住宅の模型に変更可能としたものである。
【０００９】
【発明の実施の形態】
次に本発明の実施の形態を説明する。
図１は本発明の隣接住宅との距離体験装置の全体的な構成を示す正面図、図２は、先ず隣接住宅模型Ｋに隣接する敷地に、設計担当者Ｍが登場して、隣接住宅との距離の重要性について説明している状態の図面、図３は右側から建設予定住宅模型Ａが移動して来て、隣接住宅模型Ｋとの境界線ぎりぎりまで出た状態の図面、図４は右側の建設予定住宅模型Ａが、２階建てから３階建てに変更され、日射の条件を示す図面、図５は隣接住宅模型Ｋの内部に夫婦と子供二人の家族Ｆが登場した状態の図面、図６は建設予定住宅模型Ａを３ｍだけ戻して、隣接住宅模型Ｋとの間に木立Ｗを植えた状態の図面である。
【００１０】
図７は建設予定住宅模型Ａが境界線まで近づいて、担当者が２階に移動した状態の図面、図８は冬至の状態において隣接住宅模型Ｋの影が何処まで伸びるかを示した図面、図９は建設予定住宅模型Ａが３ｍ戻って、春分と秋分の状態の日差しと、風通しを示した図面、図１０は実写空間に立った住宅建築予定者Ｙが建設予定住宅模型Ａと隣接住宅模型Ｋの間に映像として表現された状態の図面、図１１は隣接住宅との距離体験装置の外の実写空間に立った住宅建築予定者Ｙの図面、図１２は１階が日差しの関係でリビングに向かない場合に、２階にリビングを設けた状態の図面、図１３は、隣接住宅模型Ｋと建設予定住宅模型Ａの両方を３階建てに変更した状態の図面である。
【００１１】
本発明においては、実際の映像と、隣接住宅模型Ｋと建設予定住宅模型Ａの模型を、プリズム映像により重複して投影し、模型の中に実写の映像を入れることにより、平面的なビデオ画面と、模型により構成した立体画面とを混合させて、リアルな体験の中で隣接住宅との距離問題を捕らえることが出来るように構成しているのである。
本装置において重要な役目をするのは、プリズム投影画面Ｐ１・Ｐ２であり、該プリズム投影画面Ｐ１は隣接住宅模型Ｋの前面に配置されており、プリズム投影画面Ｐ２は建設予定住宅模型Ａの前面に配置されている。
隣接住宅模型Ｋは固定されて動かないが、建設予定住宅模型Ａは左右に移動するので、プリズム投影画面Ｐ２はこの建設予定住宅模型Ａと共に移動し、このプリズム投影画面Ｐ２に映像を送る映像投影装置も、建設予定住宅模型Ａと共に角度を移動すべく構成している。
該プリズム投影画面Ｐ１・Ｐ２は、通常は単なる透明ガラスであり、このプリズム投影画面Ｐ１・Ｐ２が有っても、模型は支障無く見ることが出来るので、このプリズム投影画面Ｐ１・Ｐ２があるかどうかは判断出来ない程である。
【００１２】
故に、実写映像を投影しない場合には、単に隣接住宅模型Ｋと建設予定住宅模型Ａだけを見るので、通常の模型の装置と変わらない。しかし、該プリズム投影画面Ｐ１とプリズム投影画面Ｐ２に向けて、装置の横に隠した投影装置からビデオ映像を投影すると、該透明な画面に、生活する人物の姿のみが映写される。
バックや後背は写らないので、この隣接住宅模型Ｋや建設予定住宅模型Ａの中で、生活しているというバーチャル感覚を得ることができる。
本実施例においては、隣接住宅模型Ｋの内部に家族Ｆが写しだされる。該家族Ｆは、１階において家事をする主婦Ｆ２と、ゴルフパターの練習をする主人Ｆ１と、２階の子供部屋で勉強する妹Ｆ４と、トイレに行ったり室内遊戯をする兄Ｆ３により構成され、このような構成の家族Ｆの、主人Ｆ１と主婦Ｆ２と兄Ｆ３と妹Ｆ４の生活状態が写しだされる。
【００１３】
また、建設予定住宅模型Ａの方の１階には、住宅会社の設計担当者Ｍの映像が写しだされ、また、２階にも、この設計担当者Ｍが移動して、隣接住宅模型Ｋを覗き込むことが出来る映像が投影される。
また、前述の如く、建設予定住宅模型Ａの方のプリズム投影画面Ｐ１には、隣接住宅との距離体験装置の外の実写空間Ｒに立つだけで、この実写空間Ｒに常時向けられているビデオカメラにより、この映像が撮られて、プリズム投影画面Ｐ２の上や、建設予定住宅模型Ａと隣接住宅模型Ｋの間の空間に、この住宅建築予定者Ｙが立っている状態が投影可能としている。
これらのビデオ映像の投影装置は、全て、隣接住宅模型Ｋと建設予定住宅模型Ａを配置した模型空間の側方の隠れた空間に配置されており、映像が送られている。
【００１４】
このように構成した隣接住宅との距離体験装置において、図１と図１３に示す如く、隣接住宅模型Ｋは屋根の部分を駆動モーターにより傾動させることにより、２階建てが、３階建てに変化すべく構成している（図１のＫ’）。また、建設予定住宅模型Ａは、２階部分を駆動モーターにより持ち上げることにより、２階建てが、３階建てに変化するように構成している（図１のＡ’）。
このように、２階建てが３階建てになることにより、日射の遮蔽の度合いが相違し、風の流れが相違することを体験可能としている。また、隣接住宅模型Ｋと建設予定住宅模型Ａの間に、木立Ｗを建てることが可能であり、この木立Ｗも、プリズム投影画面Ｐ１に木立のビデオ映像を投影することにより、配置可能としている。
【００１５】
また、建設予定住宅模型Ａと隣接住宅模型Ｋの間の情報の空間に、ディスプレイ装置Ｄが配置されており、該ディスプレイ装置Ｄには、隣家との間の距離を規制する法律の説明、例えば建蔽率や容積率や、北側制限や、道路側制限や、風通しの状態の説明や、冬至の日中の陽が当たる為に必要な隣接距離や、窓サッシの高さが、通常のサッシとハイサッシの場合で、日差しの投入量の変化等が表現されるように構成している。
また、隣接住宅模型Ｋにおいては、建設予定住宅模型Ａの側に配置したトイレの位置や、洗面所や風呂や、窓の位置が重要な要素となる。また隣接住宅模型Ｋの側の塀や、木立の有り無しが大きな問題となるので、これらも表現を可能としている。
【００１６】
そして、どうしても、日照の関係で、１階にリビングが取れない場合には、２階にリビングを構成した状態も、映像として映すことが出来るように構成している。また、隣接住宅模型Ｋとの間の距離は、隣接住宅模型Ｋが火災を発生した場合の、延焼の可能性の有無にも関係が出てくるので、この点についても、ディスプレイ装置Ｄにより表現すべく構成している。
【００１７】
【発明の効果】
本発明は以上の如く構成したので、次のような効果を発揮するのである。
請求項１の如く、一方に既に建設された隣接住宅模型Ｋを配置し、他方のこれから建設予定の敷地空間部分に、建設予定住宅模型Ａを配置し、該建設予定住宅Ａは、隣接住宅模型Ｋと近づく方向と離れる方向に移動可能としたので、隣接住宅模型Ｋに対して、最適な建設予定住宅模型Ａの位置を検討する際に、建設予定住宅模型Ａを適当な位置まで近づけた状態を作り出すことが出来るので、住宅建築予定者Ｙに対して、十分に隣接住宅との距離問題についての情報を与えることが出来るのである。
また、該プリズム投影画面Ｐは、通常は単なる透明ガラスであり、このプリズム投影画面Ｐが有っても、模型は支障無く見ることが出来るので、このプリズム投影画面Ｐがあるかどうかは、見る人にとって気にならないのである。
故に、実写映像を投影しない場合には、単に隣接住宅模型Ｋと建設予定住宅模型Ａだけを見るので、通常の模型の装置と変わらない。しかし、該プリズム投影画面Ｐ１とプリズム投影画面Ｐ２に向けて、装置の横に隠した投影装置からビデオ映像を投影すると、該透明な画面に、生活する人物の姿のみが映写される。バックや後背は移らないので、この隣接住宅模型Ｋや建設予定住宅模型Ａの中で、生活しているというバーチャル感覚を得ることができるのである。
【００１８】
請求項２の如く、請求項１記載の隣接住宅模型Ｋの内部で生活している家族Ｆの生活動作を、該隣接住宅模型Ｋに重複して投影映像により映写させたので、隣接住宅模型Ｋや建設予定住宅模型Ａにより模型のみで示した場合には、作りごとの世界であり、これに身を入れて見ることが出来ないが、立体的な模型に、実写の住人の生活を投影することより、立体的に隣接住宅模型Ｋの住人の状態を見ることが可能となり、より実生活として、隣接住宅との距離問題を体験することが出来るのである。
逆に、ビデオ映像のみで、隣接住宅との距離問題を表現しようとしても、平面的な映像であるので、また実生活として体験できないのである。
本発明は、模型による立体性と、実写映像の投影というリアリズムとを組み合わせて、隣接住宅との距離問題のバーチャル体験を可能とすることが出来たのである。
【００１９】
請求項３の如く、請求項１記載の隣接住宅との距離体験装置において、左右に移動する建設予定住宅模型Ａに重複して、建設予定住宅模型Ａに住む予定の住宅建築予定者Ｙの映像を投影映像により映写させたので、隣接住宅模型Ｋの中の住人の映像と、建設予定住宅模型Ａの中の、これから住む人の映像との組合せ混合により、よりバーチャル体験を深くすることが出来るのである。
【００２０】
また、建設予定住宅模型Ａに重複映像させた住人は、建設予定住宅模型Ａと共に移動すべく構成したので、建設予定住宅模型Ａの内部の住宅建築予定者Ｙや設計担当者Ｍは、隣接住宅模型Ｋに対して近づいた状態と、隣接住宅模型Ｋから離れた状態のどちらの状態もバーチャル体感することが出来るので、隣接住宅との距離問題を肌で感ずることが出来るのである。
【００２１】
請求項４の如く、隣接住宅模型Ｋと建設予定住宅模型Ａにより構成された、模型空間の外の空間に、実写空間を配置し、該実写空間に立った人間をカメラにより映写して、該映像を、隣接住宅模型Ｋと建設予定住宅模型Ａの間、又は建設予定住宅模型Ａの内部に重複させてプリズム投影画面Ｐに、投影映像として映写させたので、実際に住宅建築予定者Ｙがこの隣接住宅との距離体験装置の中に写し込ませることが出来るので、実際に隣接住宅との距離問題に自分が当事者となって表現されるので、この状況の理解が速くなるのである。
【００２２】
請求項５の如く、請求項１記載の建設予定住宅模型Ａ又は隣接住宅模型Ｋを、２階建て住宅とし、スイッチの操作により、３階建てと２階建てに変更可能としたので、２階建て同士での比較では、十分に出来ない市街地の敷地の問題を、隣接住宅模型Ｋも建設予定住宅模型Ａも３階建てに変化させることにより、簡単に体験させることが出来るようになったのである。
【図面の簡単な説明】
【図１】本発明の隣接住宅との距離体験装置の全体的な構成を示す正面図。
【図２】先ず隣接住宅模型Ｋに隣接する敷地に、設計担当者Ｍが登場して、隣接住宅との距離の重要性について説明している状態の図面。
【図３】右側から建設予定住宅模型Ａが移動してきて、隣接住宅模型Ｋとの境界線ぎりぎりまで出た状態の図面。
【図４】右側の建設予定住宅模型Ａが、２階建てから３階建てに変更され、日射の条件を示す図面。
【図５】隣接住宅模型Ｋの内部に主人Ｆ１と主婦Ｆ２と兄Ｆ３と妹Ｆ４の家族Ｆが登場した状態の図面。
【図６】建設予定住宅模型Ａを３ｍだけ戻して、隣接住宅模型Ｋとの間に木立Ｗを植えた状態の図面。
【図７】建設予定住宅模型Ａが境界線まで近づいて、担当者が２階に移動した状態の図面。
【図８】冬至の状態において隣接住宅模型Ｋの影が何処まで伸びるかを示した図面。
【図９】建設予定住宅模型Ａが３ｍ戻って、春分と秋分の状態の日差しと、風通しを示した図面。
【図１０】実写空間に立った住宅建築予定者Ｙが建設予定住宅模型Ａと隣接住宅模型Ｋの間に映像として表現された状態の図面。
【図１１】隣接住宅との距離体験装置の外の実写空間に立った住宅建築予定者Ｙの図面。
【図１２】図１２は１階が日差しの関係でリビングに向かない場合に、２階にリビングを設けた状態の図面。
【図１３】隣接住宅模型Ｋと建設予定住宅模型Ａの両方を３階建てに変更した状態の図面。
【符号の説明】
Ａ  建設予定住宅模型
Ｋ  隣接住宅模型
Ｄ  ディスプレイ装置
Ｆ  家族
Ｆ１  主人
Ｆ２  主婦
Ｆ３  兄
Ｆ４  妹
Ｍ  設計担当者
Ｙ  住宅建築予定者
Ｗ  木立
【図１】
0003628440.tif 000002
【図２】
0003628440.tif 000003
【図３】
0003628440.tif 000004
【図４】
0003628440.tif 000005
【図５】
0003628440.tif 000006
【図６】
0003628440.tif 000007
【図７】
0003628440.tif 000008
【図８】
0003628440.tif 000009
【図９】
0003628440.tif 000010
【図１０】
0003628440.tif 000011
【図１１】
0003628440.tif 000012
【図１２】
0003628440.tif 000013
【図１３】
0003628440.tif 000014